(57)【要約】【課題】従来と同様に用紙にスタンプを押すことで、ユーザのスタンプラリーへの参加を容易にしつつ、ユーザがポイントに訪問した時間やスタンプラリーを回った順番を把握する。【解決手段】スタンプラリーの各拠点に設置されたスタンプ台３は、ユーザがスタンプラリー用紙１にスタンプ５を押印した際に、スタンプラリー用紙１に印刷されたバーコード、あるいは、スタンプラリー用紙１が備えるＲＦＩＤからユーザＩＤを読み取り、読み取ったユーザＩＤと、自身のスタンプ台ＩＤをスタンプラリーサーバ９に送信する。スタンプラリーサーバ９は、受信したユーザＩＤ及びスタンプ台ＩＤと、これらの情報の受信時刻に基づく押印時刻とを対応付けたアクセスログを自身が備えるデータベースに書き込む。【選択図】図１
2014235451.tif 000002
【特許請求の範囲】
【請求項１】
複数の拠点それぞれに設置されたスタンプ台と、訪問履歴蓄積装置とを有する訪問履歴蓄積システムであって、
前記スタンプ台は、
前記拠点においてスタンプを押印するための用紙からユーザ識別情報を読み取る読取部と、
前記読取部が読み取ったユーザ識別情報を前記訪問履歴蓄積装置に送信する送信部とを備え、
前記訪問履歴蓄積装置は、
ユーザ識別情報とスタンプ台特定情報と押印時刻とを対応付けたログデータを記憶する記憶部と、
前記スタンプ台からユーザ識別情報を受信し、受信した前記ユーザ識別情報と、当該ユーザ識別情報の送信元である前記スタンプ台のスタンプ台特定情報と、前記ユーザ識別情報を受信した時刻に基づく押印時刻または前記スタンプ台から通知された押印時刻とを対応付けたログデータを前記記憶部に書き込む制御部とを備える、
ことを特徴とする訪問履歴蓄積システム。
【請求項２】
前記スタンプ台は、情報を表示する表示部をさらに備え、
前記制御部は、ユーザが次に訪れるべきスタンプ台の情報を、前記ユーザ識別情報の送信元である前記スタンプ台に送信して前記表示部に表示させる、
ことを特徴とする請求項１に記載の訪問履歴蓄積システム。
【請求項３】
前記制御部は、前記記憶部に記憶されている前記ログデータに基づいて前記スタンプ台全体の混雑具合を平準化するように、ユーザが次に訪れるべき前記スタンプ台を選択し、選択した前記スタンプ台の情報を前記ユーザ識別情報の送信元である前記スタンプ台に送信して前記表示部に表示させる、
ことを特徴とする請求項２に記載の訪問履歴蓄積システム。
【請求項４】
前記スタンプ台は、情報を表示する表示部をさらに備え、
前記記憶部は、さらに、観光地の位置情報及び観光情報を対応付けて記憶しており、
前記制御部は、前記ユーザ識別情報の送信元である前記スタンプ台の周辺の観光地を前記記憶部に記憶されている前記位置情報に基づいて特定し、特定した前記観光地の前記観光情報を前記記憶部から読み出し、読み出した前記観光情報を前記ユーザ識別情報の送信元の前記スタンプ台に送信して前記表示部に表示させる、
ことを特徴とする請求項１から請求項３のいずれか１項に記載の訪問履歴蓄積システム。
【請求項５】
前記記憶部は、さらに、前記ユーザ識別情報に対応付けてユーザの嗜好情報を記憶しており、
前記制御部は、受信した前記ユーザ識別情報に対応した前記嗜好情報を前記記憶部から読み出すとともに前記ユーザ識別情報の送信元である前記スタンプ台の周辺の観光地を前記記憶部に記憶されている前記位置情報に基づいて特定し、特定した前記観光地の前記観光情報の中から、読み出した前記嗜好情報に基づいて提示対象の前記観光情報を選択し、選択した前記観光情報を前記ユーザ識別情報の送信元の前記スタンプ台に送信して前記表示部に表示させる、
ことを特徴とする請求項４に記載の訪問履歴蓄積システム。
【請求項６】
複数の拠点それぞれに設置されたスタンプ台と、訪問履歴蓄積装置とを有する訪問履歴蓄積システムにおける前記訪問履歴蓄積装置であって、
ユーザ識別情報とスタンプ台特定情報と押印時刻とを対応付けたログデータを記憶する記憶部と、
前記拠点においてスタンプを押印するための用紙より読み取られたユーザ識別情報を前記スタンプ台から受信し、受信した前記ユーザ識別情報と、当該ユーザ識別情報の送信元である前記スタンプ台のスタンプ台特定情報と、前記ユーザ識別情報を受信した時刻に基づく押印時刻または前記スタンプ台から通知された押印時刻とを対応付けたログデータを前記記憶部に書き込む制御部と、
を備えることを特徴とする訪問履歴蓄積装置。
【請求項７】
複数の拠点それぞれに設置されたスタンプ台と、訪問履歴蓄積装置とを有する訪問履歴蓄積システムが実行する訪問履歴蓄積方法であって、
前記スタンプ台が、
前記拠点においてスタンプを押印するための用紙からユーザ識別情報を読み取る読取ステップと、
前記読取ステップにおいて読み取ったユーザ識別情報を前記訪問履歴蓄積装置に送信する送信ステップと、
前記訪問履歴蓄積装置が、
前記スタンプ台からユーザ識別情報を受信し、受信した前記ユーザ識別情報と、当該ユーザ識別情報の送信元である前記スタンプ台のスタンプ台特定情報と、前記ユーザ識別情報を受信した時刻に基づく押印時刻または前記スタンプ台から通知された押印時刻とを対応付けたログデータを当該訪問履歴蓄積装置が備える記憶部に書き込む書込みステップと、
を有することを特徴とする訪問履歴蓄積方法。
【請求項８】
コンピュータを、請求項６の訪問履歴蓄積装置として機能させるプログラム。
【発明の詳細な説明】
【技術分野】
【０００１】
本発明は、ユーザの訪問履歴の情報を収集する訪問履歴蓄積システム、訪問履歴蓄積装置、訪問履歴蓄積方法、及びプログラムに関する。
【背景技術】
【０００２】
観光地や商店街などでは、集客目的としてしばしばスタンプラリーが実施される。ユーザは複数拠点を回り、各所に設置されたスタンプを用紙に押すことによって用紙に訪問履歴を残し、スタンプラリーの主催者は用紙上のスタンプを確認することによってユーザがスタンプラリーを実施したことを確認していた。
【０００３】
観光地など広いエリアでスタンプラリーを実施する場合、ユーザがスタンプラリーを回る順番がわかればおおよその順路が想定できるため、順路に該当する通路を優先的に整備し、効果的に広告情報を掲示するといったことができる。ところが、用紙上のスタンプで訪問履歴を確認する場合、ユーザがいつ、どんなポイントをどのような順番で回ったか把握するのは困難であった。一方、従来技術として携帯電話を活用したスタンプラリーシステムがある（例えば、特許文献１、２参照。）。
【先行技術文献】
【特許文献】
【０００４】
【特許文献１】特開２００７−２５７１６１号公報
【特許文献２】特開２００９−０９３４６９号公報
【発明の概要】
【発明が解決しようとする課題】
【０００５】
携帯電話やスマートフォンには、ＧＰＳ（Global Positioning System）を内蔵しているものもある。そこで、携帯電話やスマートフォンに搭載されているＧＰＳを利用して、スタンプラリーのポイントから位置情報を収集するといった手段が考えられる。しかしながら、子供やお年寄りなどが実施するには操作方法が複雑であり、そもそもそのような電子デバイスを所有していないとスタンプラリーに参加できないという問題があった。
【０００６】
上記事情に鑑み、本発明は、従来と同様に用紙にスタンプを押すことで、ユーザのスタンプラリーへの参加を容易にしつつ、ユーザがポイントに訪問した時間やスタンプラリーを回った順番を把握することができる訪問履歴蓄積システム、訪問履歴蓄積装置、訪問履歴蓄積方法、及びプログラムを提供することを目的としている。
【課題を解決するための手段】
【０００７】
本発明の一態様は、複数の拠点それぞれに設置されたスタンプ台と、訪問履歴蓄積装置とを有する訪問履歴蓄積システムであって、前記スタンプ台は、前記拠点においてスタンプを押印するための用紙からユーザ識別情報を読み取る読取部と、前記読取部が読み取ったユーザ識別情報を前記訪問履歴蓄積装置に送信する送信部とを備え、前記訪問履歴蓄積装置は、ユーザ識別情報とスタンプ台特定情報と押印時刻とを対応付けたログデータを記憶する記憶部と、前記スタンプ台からユーザ識別情報を受信し、受信した前記ユーザ識別情報と、当該ユーザ識別情報の送信元である前記スタンプ台のスタンプ台特定情報と、前記ユーザ識別情報を受信した時刻に基づく押印時刻または前記スタンプ台から通知された押印時刻とを対応付けたログデータを前記記憶部に書き込む制御部とを備える、ことを特徴とする訪問履歴蓄積システムである。
【０００８】
また、本発明の一態様は、上述する訪問履歴蓄積システムであって、前記スタンプ台は、情報を表示する表示部をさらに備え、前記制御部は、ユーザが次に訪れるべきスタンプ台の情報を、前記ユーザ識別情報の送信元である前記スタンプ台に送信して前記表示部に表示させる、ことを特徴とする。
【０００９】
また、本発明の一態様は、上述する訪問履歴蓄積システムであって、前記制御部は、前記記憶部に記憶されている前記ログデータに基づいて前記スタンプ台全体の混雑具合を平準化するように、ユーザが次に訪れるべき前記スタンプ台を選択し、選択した前記スタンプ台の情報を前記ユーザ識別情報の送信元である前記スタンプ台に送信して前記表示部に表示させる、ことを特徴とする。
【００１０】
また、本発明の一態様は、上述する訪問履歴蓄積システムであって、前記スタンプ台は、情報を表示する表示部をさらに備え、前記記憶部は、さらに、観光地の位置情報及び観光情報を対応付けて記憶しており、前記制御部は、前記ユーザ識別情報の送信元である前記スタンプ台の周辺の観光地を前記記憶部に記憶されている前記位置情報に基づいて特定し、特定した前記観光地の前記観光情報を前記記憶部から読み出し、読み出した前記観光情報を前記ユーザ識別情報の送信元の前記スタンプ台に送信して前記表示部に表示させる、ことを特徴とする。
【００１１】
また、本発明の一態様は、上述する訪問履歴蓄積システムであって、前記記憶部は、さらに、前記ユーザ識別情報に対応付けてユーザの嗜好情報を記憶しており、前記制御部は、受信した前記ユーザ識別情報に対応した前記嗜好情報を前記記憶部から読み出すとともに前記ユーザ識別情報の送信元である前記スタンプ台の周辺の観光地を前記記憶部に記憶されている前記位置情報に基づいて特定し、特定した前記観光地の前記観光情報の中から、読み出した前記嗜好情報に基づいて提示対象の前記観光情報を選択し、選択した前記観光情報を前記ユーザ識別情報の送信元の前記スタンプ台に送信して前記表示部に表示させる、ことを特徴とする。
【００１２】
また、本発明の一態様は、複数の拠点それぞれに設置されたスタンプ台と、訪問履歴蓄積装置とを有する訪問履歴蓄積システムにおける前記訪問履歴蓄積装置であって、ユーザ識別情報とスタンプ台特定情報と押印時刻とを対応付けたログデータを記憶する記憶部と、前記拠点においてスタンプを押印するための用紙より読み取られたユーザ識別情報を前記スタンプ台から受信し、受信した前記ユーザ識別情報と、当該ユーザ識別情報の送信元である前記スタンプ台のスタンプ台特定情報と、前記ユーザ識別情報を受信した時刻に基づく押印時刻または前記スタンプ台から通知された押印時刻とを対応付けたログデータを前記記憶部に書き込む制御部と、を備えることを特徴とする訪問履歴蓄積装置である。
【００１３】
また、本発明の一態様は、複数の拠点それぞれに設置されたスタンプ台と、訪問履歴蓄積装置とを有する訪問履歴蓄積システムが実行する訪問履歴蓄積方法であって、前記スタンプ台が、前記拠点においてスタンプを押印するための用紙からユーザ識別情報を読み取る読取ステップと、前記読取ステップにおいて読み取ったユーザ識別情報を前記訪問履歴蓄積装置に送信する送信ステップと、前記訪問履歴蓄積装置が、前記スタンプ台からユーザ識別情報を受信し、受信した前記ユーザ識別情報と、当該ユーザ識別情報の送信元である前記スタンプ台のスタンプ台特定情報と、前記ユーザ識別情報を受信した時刻に基づく押印時刻または前記スタンプ台から通知された押印時刻とを対応付けたログデータを当該訪問履歴蓄積装置が備える記憶部に書き込む書込みステップと、を有することを特徴とする訪問履歴蓄積方法である。
【００１４】
また、本発明の一態様は、コンピュータを、上述した訪問履歴蓄積装置として機能させるプログラムである。
【発明の効果】
【００１５】
本発明により、従来と同様に用紙にスタンプを押すことで、ユーザのスタンプラリーへの参加を容易にしつつ、ユーザがポイントに訪問した時間やスタンプラリーを回った順番を把握することが可能となる。
【図面の簡単な説明】
【００１６】
【図１】本発明の一実施形態による訪問履歴蓄積システムの全体構成図である。
【図２】同実施形態によるスタンプラリー用紙の外観を示す図である。
【図３】同実施形態によるスタンプ台の構成を示す機能ブロック図である。
【図４】同実施形態によるスタンプ押印時にバーコードを読み取る場合のスタンプ台の外観を示す図である。
【図５】同実施形態によるスタンプ押印時にＲＦＩＤを読み取る場合のスタンプ台の外観を示す図である。
【図６】同実施形態によるスタンプラリーサーバの構成を示す機能ブロック図である。
【図７】同実施形態による訪問履歴蓄積システムの利用登録処理の処理フローを示す図である。
【図８】同実施形態による訪問履歴蓄積システムの観光情報提示処理の処理フローを示す図である。
【図９】同実施形態による訪問履歴蓄積システムの次に訪れるスタンプ台のレコメンド処理の処理フローを示す図である。
【図１０】同実施形態によるスタンプラリーサーバのスタンプ台検索処理の処理フローを示す図である。
【発明を実施するための形態】
【００１７】
以下、図面を参照して本発明の実施形態について詳細に説明する。
図１は、本発明の一実施形態による訪問履歴蓄積システムの全体構成図である。同図に示すように、訪問履歴蓄積システムは、スタンプラリー用紙１と、観光地などの複数の拠点に設置され、スタンプラリー用紙１にスタンプ５を押すためのスタンプ台３と、スタンプ台３から送信された情報を蓄積して一元管理するスタンプラリーサーバ９とを備えて構成される。同図においては、スタンプ台３を１台のみ示しているが、複数台が備えられる。スタンプ台３は、情報の表示画面であるスクリーンを備え、スタンプ台３とスタンプラリーサーバ９とはインターネット等のネットワーク７を介して接続される。ネットワーク７は、無線の通信網であってもよく、有線の通信網であってもよい。
【００１８】
本実施形態による訪問履歴蓄積システムは、スタンプラリーの各拠点に設置されているスタンプ台３において、ユーザがスタンプラリー用紙１にスタンプを押すという従来と同様の訪問履歴確認手段に加え、スタンプラリー用紙１にＩＤ情報を格納するＩＤ情報格納手段を備える。そして、ユーザがスタンプラリー用紙１にスタンプを押す際に、スタンプ台３は、このＩＤ情報を電子的な情報として読み取り、スタンプラリーサーバ９に通知する。これにより、本実施形態による訪問履歴蓄積システムは、ユーザの参加を容易にしつつ、ユーザの訪問履歴を電子的に収集し、各拠点への訪問時間やスタンプラリーを回った順番を把握する。また、本実施形態による訪問履歴蓄積システムは、訪問履歴を収集するだけではなく、スタンプ台３に情報表示機能を備えることで、スタンプ台３に関連した観光情報を提示し、観光効果を向上させる。このように、履歴を保存するだけでなく、個人の嗜好に照らしてスタンプラリーに関連した観光情報を提供することにより、ユーザの利便性を向上し、スタンプラリーをより効果的に実施することを可能にする。さらには、収集した訪問履歴に基づいて混雑していないと判断されるスタンプ台３を提示し、スタンプ台の待ち行列の平準化を行うことにより、ユーザの利便性を向上させる。
【００１９】
図２は、図１に示すスタンプラリー用紙１の外観を示す図である。同図に示すように、スタンプラリー用紙１は、スタンプ５を押印するためのスタンプ領域１１に加え、ＩＤ情報を格納するＩＤ格納部１３を備えている。スタンプラリー用紙１は、ＩＤ格納部１３として、ＩＤ情報を画像で表したバーコード１３ａと、電子的なＩＤ情報を格納するＲＦＩＤ（Radio Frequency Identification）１３ｂとを備えている。なお、スタンプラリー用紙１は、バーコード１３ａとＲＦＩＤ１３ｂのいずれかのみを備えるようにしてもよい。本実施形態では、バーコード１３ａ及びＲＦＩＤ１３ｂともに、各スタンプラリー用紙１に個別のユニークなＩＤ情報を記録させる。バーコード１３ａを用いる場合、スタンプラリー用紙１の印刷とともにバーコードパターンを印刷すればよく、コストが低いという特徴がある。一方、ＲＦＩＤ１３ｂを用いる場合、バーコード印刷に比べてチップコストがかかるものの、用紙が汚れてもＩＤ情報を読み取り可能であり、かつ、近距離であるが無線で非接触の読み出しができるという特徴がある。
【００２０】
図３は、スタンプ台３の構成を示す機能ブロック図である。同図に示すように、スタンプ台３は、読取部３１、送信部３３、表示制御部３５、及び表示部３７を備えて構成される。読取部３１は、スタンプラリー用紙１のＩＤ格納部１３からＩＤ情報を読み取る。送信部３３は、読取部３１が読み取ったＩＤ情報と、自スタンプ台３のスタンプ台ＩＤ（スタンプ台識別情報）とを設定した通知情報をスタンプラリーサーバ９に送信する。スタンプ台ＩＤは、各スタンプ台３に固有に予め割り振られた、スタンプ台３を特定する識別情報である。表示制御部３５は、スタンプラリーサーバ９から受信した情報を表示部３７に表示させる。表示部３７は、情報の表示画面（スクリーン）である。
【００２１】
図４は、スタンプ押印時にバーコード１３ａを読み取る場合のスタンプ台３として用いられるスタンプ台３ａの外観を示す図であり、スタンプ台３ａが備える用紙取込口４１を示す。スタンプ台３ａの場合、図３に示す機能部に加えてスタンプ押印部（図示せず）を備える。また、読取部３１は、バーコードリーダにより構成される。
【００２２】
ユーザが、スタンプラリー用紙１をスタンプ台３ａの用紙取込口４１に挿入すると、用紙取込口４１は挿入されたスタンプラリー用紙１を内部に取込む。スタンプ台３ａのスタンプ押印部（図示せず）は、用紙取込口４１により取込まれたスタンプラリー用紙１のスタンプ領域１１において他のスタンプ台３ａのスタンプ５とは重ならない位置にスタンプ５を押印し、読取部３１は、スタンプラリー用紙１のバーコード１３ａを読み取る。こうすることで、ユーザによらずに安定的にバーコード１３ａの情報を読み取ることができる。送信部３３は、読取部３１が読み取ったバーコード１３ａが示すＩＤ情報と、自スタンプ台３ａのスタンプ台ＩＤを設定した通知情報をスタンプラリーサーバ９に送信する。表示制御部３５は、通知情報に対応してスタンプラリーサーバ９から受信した情報を表示部３７に表示させる。スタンプラリー用紙１は用紙取込口４１から排出される。
【００２３】
図５は、スタンプ押印時にＲＦＩＤ１３ｂを読み取る場合のスタンプ台３として用いられるスタンプ台３ｂの外観を示す図である。同図に示すように、スタンプ台３ｂは、ＲＦＩＤリーダ４３、表示画面４５を備えて構成される。ＲＦＩＤリーダ４３は、図３の読取部３１に相当し、表示画面４５は、図３の表示部３７に相当する。ＲＦＩＤリーダ４３は、スタンプ台３ｂの台座に設けられる。ユーザがスタンプラリー用紙１を台座に置いてスタンプ領域１１にスタンプ５を押印する際に、ＲＦＩＤリーダ４３（読取部３１）は、ＲＦＩＤ１３ｂに記録されているＩＤ情報を非接触で読み取る。ＲＦＩＤ１３ｂからＩＤ情報を読み取る場合、読み取り範囲がバーコード１３ａよりも広いため、台座にＲＦＩＤリーダ４３を設置すればスタンプ押印動作自体はユーザに任せても、ＩＤ情報を安定的に読み取ることができる。また、ユーザがスタンプを押印する場所を間違えたり、スタンプ押印がうまくできなかった場合でも、ＲＦＩＤ１３ｂからＩＤ情報を取得して訪問履歴として残すため、スタンプラリー用紙１の状態に関わらず、ユーザがスタンプラリーを実施したかを確認することができる。
【００２４】
また、図５の別構成として、スタンプ台３ｂにＲＦＩＤリーダ４３を設ける代わりにスタンプ５にＲＦＩＤリーダに内蔵するとともに、スタンプ５の底面にスイッチを設けるようにしてもよい。そして、スタンプ５のスイッチが、ユーザのスタンプ押印動作を検知し、これを契機にＲＦＩＤリーダを動作させてＲＦＩＤ１３ｂからＩＤ情報を読み取る。こうすることにより、スタンプ押印時刻を正確に把握できると共に、ＲＦＩＤリーダを常時動作させる必要がなくなり、ＲＦＩＤリーダの省電力化が可能になる。スタンプ底面のスイッチについては、単純な押し込みスイッチでもよいし、圧力センサのようなセンサを設けてスタンプ押印を検知し、これを契機にＲＦＩＤリーダを起動するようにしてもよい。
【００２５】
もしくは、スタンプ台３ｂにＲＦＩＤリーダ４３を設ける代わりにスタンプ５にＲＦＩＤリーダを備え、スタンプ押印する際に用いる朱肉にスイッチを設ける構成としてもよい。スタンプ押印する事前動作としてユーザはスタンプ５を朱肉に押し込むため、朱肉にスイッチを設ければ、これを契機にＲＦＩＤリーダを起動すれば良く、ＲＦＩＤリーダの省電力化が可能になる。
【００２６】
なお、スタンプ台３ｂにＲＦＩＤリーダを設ける構成と、スタンプ５にＲＦＩＤリーダを設ける構成を同時に適用しても良い。ＲＦＩＤリーダを複数設けることで、ＲＦＩＤの検出率を向上し、検出漏れを防ぐことが出来る。複数ＲＦＩＤリーダを設ける場合はスタンプ台３とスタンプ５にそれぞれ設けたり、スタンプ台３に複数設けてもよい。送信部３３は、所定時間内に複数のＲＦＩＤリーダによって同一のＩＤ情報が読み取られた場合、通知情報を１回のみスタンプラリーサーバ９に送信するようにしてもよい。
【００２７】
図６は、スタンプラリーサーバ９の構成を示すブロック図である。スタンプラリーサーバ９は、データベース９１、及び制御部９３を備えて構成される。データベース９１は、ユーザ情報データベース９１１、スタンプ台データベース９１３、スタンプ台アクセスログ記憶部９１５、観光情報データベース９１７を備えて構成される。なお、図中では、「データベース」を「ＤＢ」とも記載する。
【００２８】
ユーザ情報データベース９１１は、スタンプラリーの参加者であるユーザのユーザＩＤ（ユーザ識別情報）と、ユーザの氏名（名前）や性別、年齢、嗜好などの個人情報と、アクセスログ（ログデータ）とを対応付けたデータを記憶する。ユーザＩＤは、ユーザを一意に識別する情報である。ユーザＩＤ、氏名、性別、年齢、及び嗜好は、ユーザがスタンプラリーに参加する際に利用者登録を行うことで保存される。ユーザＩＤには、スタンプラリー用紙１のバーコード１３ａあるいはＲＦＩＤ１３ｂに記録されているＩＤ情報を用いる。アクセスログは、ユーザが訪れたスタンプ台３のスタンプ台ＩＤと、スタンプ５を押印した時刻（押印時刻）とを対応付けた情報である。
【００２９】
スタンプ台データベース９１３は、スタンプ台３のスタンプ台ＩＤ、当該スタンプ台３を設置している建物などの住所、当該スタンプ台の位置情報（緯度経度）、及び当該スタンプ台３が設置されている建物等の名称を示すロケ名称を対応付けたデータを記憶する。
スタンプ台アクセスログ記憶部９１５は、スタンプ台３のスタンプ台ＩＤと、当該スタンプ台３を訪れたユーザのユーザＩＤと、ユーザがスタンプ５を押印した時刻とを対応付けたデータであるスタンプ台アクセスログ（ログデータ）を記憶する。
観光情報データベース９１７は、観光地の名称、観光情報、住所、位置情報（緯度経度）を対応づけたデータを記憶する。
【００３０】
制御部９３は、スタンプ台３からユーザＩＤ、及び、スタンプ台ＩＤが設定された通知情報を受信し、ユーザＩＤに対応付けてユーザ情報データベース９１１が記憶しているアクセスログと、スタンプ台アクセスログ記憶部９１５が記憶するスタンプ台アクセスログを更新する。制御部９３は、通知情報に含まれるユーザＩＤに対応した嗜好情報をユーザ情報データベース９１１から読み出す。さらに制御部９３は、通知情報に含まれるスタンプ台ＩＤにより特定されるスタンプ台の近隣の観光地のうち、読み出した嗜好情報に基づいて選択した観光地の観光情報を観光情報データベース９１７から読み出して通知情報の送信元のスタンプ台３に送信し、表示部３７に表示させる。また、制御部９３は、スタンプ台アクセスログに基づいて各スタンプ台３の混雑具合を判断し、スタンプ台全体の混雑具合を平準化するようにユーザが次に訪れるべきスタンプ台３を選択する。このとき制御部９３は、選択したスタンプ台の情報をスタンプ台データベース９１３から読み出して通知情報の送信元のスタンプ台３に送信し、表示部３７に表示させる。
【００３１】
次に、訪問履歴蓄積システムの動作について説明する。
スタンプラリー主催者は、スタンプラリーサーバ９のスタンプ台データベース９１３と、観光情報データベース９１７にデータを登録しておく。そして、スタンプラリー主催者は、スタンプラリー開始前にスタンプラリー参加者の利用登録を行う。
【００３２】
図７は、訪問履歴蓄積システムを用いたスタンプラリー開始前の利用登録処理の処理フローを示す図である。まず、ユーザはスタンプラリーへの利用申し込みを行う。この時に、スタンプラリー主催者は、スタンプラリーサーバ９のユーザ情報データベース９１１に、ユーザの名前、性別、年齢、嗜好情報を含む個人情報を登録する（ステップＳ１０５）。次に、ユーザＩＤの払い出しステップを行う（ステップＳ１１０）。スタンプラリー主催者が予め用意したスタンプラリー用紙１にはＩＤ格納部１３として、バーコード１３ａが印刷されているか、ＲＦＩＤ１３ｂが貼付されている。スタンプラリー主催者は、スタンプラリーサーバ９が備えるバーコードリーダまたはＲＦＩＤリーダ（図示せず）によって、ユーザに配布するスタンプラリー用紙１のＩＤ格納部１３からＩＤ情報を読み取る。制御部９３は、ステップＳ１０５において登録した個人情報に対応付けて、読み取られたＩＤ情報をユーザＩＤとしてユーザ情報データベース９１１に登録する。これにより、ユーザとユーザＩＤの関連付けを行う。その後、スタンプラリー主催者は、登録に使用したスタンプラリー用紙１をユーザに配布する（ステップＳ１１５）。これにより、スタンプラリー開始の準備が完了する（ステップＳ１２０）。
【００３３】
次に、図８を用いてユーザがスタンプ台３でスタンプラリー用紙１にスタンプ５を押印した際に表示部３７に観光情報を提示する処理について説明する。
図８は、訪問履歴蓄積システムの観光情報提示処理の処理フローを示す図である。スタンプラリーが開始されると、ユーザはスタンプ台３が設置されている拠点を訪れ、スタンプラリー用紙１のスタンプ領域１１にスタンプ５を押印する。スタンプ台３はこれを検知し、読取部３１によりＩＤ格納部１３からＩＤ情報を読み取る。送信部３３は、読取部３１が読み取ったＩＤ情報、すなわちユーザＩＤと、自スタンプ台３のスタンプ台ＩＤとを設定した通知情報をスタンプラリーサーバ９に送信する（ステップＳ２０５）。
【００３４】
スタンプラリーサーバ９の制御部９３は、まず、通知情報で受信したユーザＩＤ及びスタンプ台ＩＤと、通知情報を受信した時刻を示す時刻情報とを対応付けたスタンプ台アクセスログをスタンプ台アクセスログ記憶部９１５に書き込む（ステップＳ２１０）。さらに、制御部９３は、スタンプ台ＩＤ及び時刻情報を設定したアクセスログを通知情報で受信したユーザＩＤに対応付けてユーザ情報データベース９１１に書き込む。
【００３５】
次に、制御部９３は、ユーザ情報データベース９１１から、通知情報で受信したユーザＩＤに対応したユーザの嗜好情報を取得すると共に（ステップＳ２１５）、スタンプ台データベース９１３から、通知情報で受信したスタンプ台ＩＤに対応した住所、及び位置情報を取得する（ステップＳ２２０）。制御部９３は、読み出したスタンプ台３の住所、及び位置情報と、観光情報データベース９１７に記憶されている観光地の住所及び位置情報とを照合し、近隣の観光地を特定する。例えば、スタンプ台３の位置情報と観光地の位置情報とから算出される距離が所定以内である場合、近隣の観光地と判断する。またあるいは、スタンプ台３の住所が示すエリアと観光地の住所が示すエリアとから近隣の観光地を特定する。さらに、制御部９３は特定した近隣の観光地の中から、観光地の名称や観光情報と、ユーザの嗜好情報とを照合して、ユーザの嗜好に合致する観光地を選択する。制御部９３は、選択した観光地の観光情報を観光情報データベースから読み出し、通知情報送信元のスタンプ台３へ送信する（ステップＳ２２５）。スタンプ台３の表示制御部３５は、スタンプラリーサーバ９から送信された観光情報を表示部３７に表示させ、ユーザに提示する（ステップＳ２３０）。
【００３６】
なお、ステップＳ２０５において、スタンプ台３の送信部３３は、スタンプ５が押印された時刻をさらに通知情報に設定してスタンプラリーサーバ９に送信してもよい。この場合、ステップＳ２１０において、スタンプラリーサーバ９の制御部９３は、通知情報で受信した時刻をスタンプ台アクセスログ、及びアクセスログに設定する。また、スタンプラリーサーバ９のデータベース９１にスタンプ台３のアドレス情報とスタンプ台ＩＤとを対応付けた情報を記憶しておき、制御部９３は、この情報を参照して、通知情報に設定されている送信元のスタンプ台３のアドレス情報をスタンプ台ＩＤに変換してもよい。
【００３７】
次に、図９を用いて、ユーザに次に訪れるスタンプ台３をレコメンドする処理について説明する。
図９は、訪問履歴蓄積システムの次に訪れるスタンプ台３のレコメンド処理の処理フローを示す図である。ユーザがスタンプラリー用紙１のスタンプ領域１１にスタンプ５を押印することにより、スタンプ台３の送信部３３がユーザＩＤ及びスタンプ台ＩＤを設定した通知情報をスタンプラリーサーバ９に送信し、スタンプラリーサーバ９の制御部９３が、通知情報に基づいて、スタンプ台アクセスログをスタンプ台アクセスログ記憶部９１５に書き込むとともに、ユーザＩＤと対応付けてアクセスログをユーザ情報データベース９１１に書き込むまでのステップＳ３０５〜Ｓ３１０の処理は、図８に示すステップＳ２０５〜Ｓ２１０の処理と同じである。
【００３８】
次に、スタンプラリーサーバ９は、スタンプ台を検索するステップを実行する（ステップＳ３１５）。
図９は、ステップＳ３１５におけるスタンプラリーサーバ９のスタンプ台検索処理の処理フローを示す図である。まず、スタンプラリーサーバ９の制御部９３は、通知情報で受信したユーザＩＤに対応付けてユーザ情報データベース９１１に記憶されているアクセスログからスタンプ台ＩＤを読み出し、ユーザが既に訪れたスタンプ台３を取得する（ステップＳ４０５）。
【００３９】
次に、制御部９３は、スタンプ台３のアクセス頻度一覧から、ユーザが既に訪れたスタンプ台３のスタンプ台ＩＤを除外し、ユーザが訪れていないスタンプ台３のスタンプ台ＩＤのみをリコメンドするスタンプ台ＩＤ候補として抽出する（ステップＳ４１０）。アクセス頻度一覧は、スタンプ台データベース９１３に記憶されているスタンプ台アクセスログの情報をもとに生成した、スタンプ台ＩＤ別の単位時間あたりのアクセス頻度を示すデータである。単位時間はパラメータとして任意に設定可能であるが、例えば１０分であれば、現在時刻から過去１０分間における全てのユーザのアクセス頻度となる。制御部９３は、ステップＳ３１０において抽出したスタンプ台ＩＤ候補の中から、アクセス頻度の低いスタンプ台ＩＤを、リコメンドするスタンプ台ＩＤとして選択する（ステップＳ４１５）。
【００４０】
なお、この時に現在地からあまりにも遠いスタンプ台３を選択しないように、現在地からの離隔距離をパラメータとして用い、次に訪れる候補のスタンプ台３を選択するようにしても良い。この場合、制御部９３は、通知情報に設定されているスタンプＩＤに対応付けて記憶されている位置情報を、現在位置としてスタンプ台データベース９１３から読み出す。さらに、制御部９３は、ステップＳ４１０においてリコメンドする候補として抽出したスタンプＩＤそれぞれに対応付けて記憶されている位置情報を読み出し、現在位置との距離を算出する。制御部９３は、算出した距離が離隔距離内のスタンプ台ＩＤをリコメンドする候補として再抽出し、その再抽出したスタンプ台ＩＤの中でアクセス頻度の低いスタンプ台を選択するようにすればよい。
【００４１】
図９のステップＳ３１５において、制御部９３は上記のようにリコメンドするスタンプ台ＩＤを選択した後、選択したスタンプ台ＩＤに対応したロケ名称や住所をスタンプ台データベース９１３から読み出し、スタンプ台情報として通知情報送信元のスタンプ台３へ転送する（ステップＳ３２０）。スタンプ台３の表示制御部３５は、スタンプラリーサーバ９から送信されたスタンプ台情報を表示部３７に表示し、ユーザに提示する（ステップＳ３２５）。
【００４２】
図９、図１０に示した例では、スタンプ台３の混雑度を平準化する時の処理フローについて提示したが、不人気スポットのてこ入れなどで誘導したいスタンプ台３がある場合は、ステップＳ３１５のスタンプ台検索ステップにおいて、てこ入れしたスタンプ台３を選ぶようにすればよい。なお、この処理は、図８に示す観光情報提示処理と同時に行ってもよい。
【００４３】
上述した実施形態によれば、スタンプラリー参加者であるユーザがスタンプラリーを完了した際に、どのような順路でスタンプラリーを行ったかを、スタンプラリーサーバに記録されているアクセスログから確認することが可能となる。また、スタンプラリーサーバは、ユーザがスタンプ台においてスタンプを押印した際に、ユーザの嗜好情報及びスタンプ台の位置の情報に基づいて、そのスタンプ台近辺の観光地の観光情報のうち、ユーザ嗜好にマッチした観光情報をスタンプ台のスクリーンに提示し、スタンプラリーの観光効果を向上させることが可能である。さらには、スタンプラリーサーバは、スタンプ台アクセスログに基づいて混雑しているスタンプ台を把握し、ユーザがスタンプを押印した際に次に訪れるべきスタンプ台を、現在訪れているスタンプ台のスクリーンに提示することにより、スタンプラリーの各拠点のスタンプ台の混雑具合を平準化し、ユーザの利便性を向上することが可能である。また、スタンプ台アクセスログから不人気の観光所を把握し、ユーザに積極的に提示することで不人気スポットのてこ入れをすることも可能である。
【００４４】
上述した実施形態におけるスタンプラリーサーバ９の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４５】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４６】
商店街や観光地等におけるスタンプラリーに適用することができる。
【符号の説明】
【００４７】
１  スタンプラリー用紙（用紙）
３  スタンプ台
５  スタンプ
７  ネットワーク
９  スタンプラリーサーバ（訪問履歴蓄積装置）
１１  スタンプ領域
１３  ＩＤ格納部
１３ａ  バーコード
１３ｂ  ＲＦＩＤ
３１  読取部
３３  送信部
３５  表示制御部
３７  表示部
４１  用紙取込口
４３  ＲＦＩＤリーダ
４５  表示画面
９１  データベース（記憶部）
９３  制御部
９１１  ユーザ情報データベース
９１３  スタンプ台データベース
９１５  スタンプ台アクセスログ記憶部
９１７  観光情報データベース
【図１】
2014235451.tif 000003
【図２】
2014235451.tif 000004
【図３】
2014235451.tif 000005
【図４】
2014235451.tif 000006
【図５】
2014235451.tif 000007
【図６】
2014235451.tif 000008
【図７】
2014235451.tif 000009
【図８】
2014235451.tif 000010
【図９】
2014235451.tif 000011
【図１０】
2014235451.tif 000012